(57)【要約】【課題】読影レポートの内容を視覚的かつ直感的に正確に把握すること。【解決手段】読影レポート情報等から病状等の所見情報及びその部位情報を抽出し、モニタ画面上に、患者の形状を模したシェーマ１３上の各部位の位置に対応して所見情報及びその部位情報を表示し、これら所見情報及びその部位情報の表示領域をポインタＰ等により指定すると、当該部位に対応する各種検査項目の情報及び検査画像データを表示し、さらに各種検査項目情報を指定すると、当該検査項目に対応する読影レポート情報等の原本文の情報を表示する。【選択図】図３
2007252609.tif 000002
【特許請求の範囲】
【請求項１】
被検体に対して行われた各種検査項目毎の少なくとも読影レポート情報及び画像データを表示する読影レポート表示装置において、
少なくとも前記読影レポート情報から所見情報及び当該所見情報に係わる前記被検体の部位情報を抽出する抽出部と、
前記被検体の形状を模した図式を表示し、かつ前記図式上の前記部位の位置に対応して前記所見情報及び前記部位情報を表示する第１の表示部と、
前記第１の表示部により表示されている前記図式上で前記所見情報及び前記部位情報を含む表示領域を指定すると、当該部位に対応する前記各種検査項目の情報及び前記画像データを表示する第２の表示部と、
前記第２の表示部により表示されている前記各種検査項目情報を指定すると、当該検査項目に対応する前記読影レポート情報を表示する第３の表示部と、
を具備することを特徴とする読影レポート表示装置。
【請求項２】
前記第１の表示部は、前記図式の表示色を前記所見情報の重要度に応じて可変することを特徴とする請求項１記載の読影レポート表示装置。
【請求項３】
前記第１の表示部は、検査日時又は検査に用いた医療機器の情報のうち少なくとも一方を付加して表示することを特徴とする請求項１記載の読影レポート表示装置。
【請求項４】
前記第２の表示部は、前記部位情報と当該部位の前記画像データとを対応付けし、表示画面上で前記所見情報及び前記部位情報を含む表示領域が指定されると、前記画像データを読み出して表示する、
ことを特徴とする請求項１記載の読影レポート表示装置。
【請求項５】
前記第２の表示部は、前記図式上における前記検査項目情報及び前記画像データの表示位置を、前記所見情報及び前記部位情報の前記部位に応じて可変することを特徴とする請求項１記載の読影レポート表示装置。
【請求項６】
前記第２の表示部は、ポインタを前記図式上で前記所見情報及び前記部位情報を含む表示領域上に移動させると、前記検査項目情報及び前記画像データを表示することを特徴とする請求項１記載の読影レポート表示装置。
【請求項７】
前記第３の表示部は、ポインタを前記検査項目情報上に移動してクリックすると、前記読影レポート情報を表示することを特徴とする請求項１記載の読影レポート表示装置。
【発明の詳細な説明】
【技術分野】
【０００１】
本発明は、例えば検査を依頼する各診療科に設置され、診療科の主治医等により読影医の記述した読影レポートを読み下し、かつ検査部位の画像を表示する読影レポート表示装置に関する。
【背景技術】
【０００２】
医療施設における内科や外科、循環器科等の各診療科の主治医は、患者等の被検体に対するＸ線等の放射線撮影の放射線科への依頼、血液や尿の検査を行う生理検査、病理検査、内視鏡検査などの各検査科への依頼を行う。これら各検査科では、読影医によって例えばＸ線画像や内視鏡画像に対する読影レポートが記述される。この読影レポートは、例えばテキスト形式のファイルにより記述される。
【０００３】
各診療科には、検査結果である例えばＸ線画像や内視鏡画像を表示すると共に、読影医によって記述された読影レポートを表示する画像読影装置が設置されている。各診療科の主治医は、画像読影装置を操作し、例えばＸ線画像や内視鏡画像を表示すると共に読影レポートを表示し、検査結果を簡素に直感的に理解している。
【０００４】
各診療科の主治医は、画像読影装置により例えばＸ線画像や内視鏡画像を表示し、読影レポートを読み下して患者の症状を迅速に把握する必要がある。ところが、読影レポートを記述する読影医と読影レポートを読み下す主治医とは、別人である。又、読影レポートの記述内容は、読影医の独特な文章表現や回りくどい文章表現になっていることがある。このため、主治医は、読影レポートの内容を誤って理解したり、読影レポートの内容を正確に把握するまでに時間を要することがある。
【発明の開示】
【発明が解決しようとする課題】
【０００５】
本発明の目的は、読影レポートの内容を視覚的かつ直感的に正確に把握できる読影レポート表示装置を提供することにある。
【課題を解決するための手段】
【０００６】
本発明の主要な局面に係る読影レポート表示装置は、被検体に対して行われた各種検査項目毎の少なくとも読影レポート情報及び画像データを表示する読影レポート表示装置において、読影レポート情報から所見情報及び当該所見情報に係わる被検体の部位情報を抽出する抽出部と、被検体の形状を模した図式を表示し、かつ図式上の部位の位置に対応して所見情報及び部位情報を表示する第１の表示部と、第１の表示部により表示されている図式上で所見情報及び部位情報を含む表示領域を指定すると、当該部位に対応する各種検査項目の情報及び画像データを表示する第２の表示部と、第２の表示部により表示されている各種検査項目情報を指定すると、当該検査項目に対応する読影レポート情報を表示する第３の表示部とを具備する。
【発明の効果】
【０００７】
本発明によれば、読影レポートの内容を視覚的かつ直感的に正確に把握できる読影レポート表示装置を提供できる。
【発明を実施するための最良の形態】
【０００８】
以下、本発明の一実施の形態について図面を参照して説明する。  
図１は読影レポート表示装置を組み込んだ医用画像管理システムの構成図を示す。例えば医療施設の各検査室には、それぞれ各種検査機器１−１〜１−ｎが設置されている。これら検査機器１−１〜１−ｎは、例えばＸ線ＣＴ装置、ＭＲ装置、超音波検査装置、内視鏡、デジタル・ラジオグラフィ、血管撮影用装置などを有する。これら検査機器１−１〜１−ｎは、ＤＩＣＯＭ（Digital Imaging and Communications in Medicine）ネットワーク２に接続されている。従って、これら検査機器１−１〜１−ｎにより取得された各検査画像データは、ＤＩＣＯＭネットワーク２に伝送可能である。
【０００９】
又、各検査室には、それぞれ読影レポート入力用の各端末３−１〜３−ｎが設けられている。これら読影レポート入力端末３−１〜３−ｎもＤＩＣＯＭネットワーク２に接続されている。従って、読影医によって読影レポートが各端末３−１〜３−ｎから入力されると、この読影レポート情報は、ＤＩＣＯＭネットワーク２に伝送可能である。
【００１０】
医療施設には、複数の検査室が設けられている。これら検査室では、例えば血液や尿の検査を行う病理検査や生理検査、核医学検査（ＮＭ）などが行われる。これら検査室には、それぞれ各検査室端末４−１〜４−ｍが設けられている。これら検査室端末４−１〜４−ｍからは、例えば病理検査や生理検査、核医学検査（ＮＭ）などの検査結果に対する検査レポートが例えば検査員によって入力される。これら検査室端末４−１〜４−ｍは、ＤＩＣＯＭネットワーク２に接続されている。従って、各検査室端末４−１〜４−ｍから入力された検査レポート情報は、ＤＩＣＯＭネットワーク２に伝送可能である。
【００１１】
画像サーバ５がＤＩＣＯＭネットワーク２に接続されている。この画像サーバ５は、各検査機器１−１〜１−ｎからの各検査画像データをＤＩＣＯＭネットワーク２を通して入力し、これら検査画像データを記憶する。又、核医学検査（ＮＭ）等により取得された各検査画像データも画像サーバ５に記憶される。
【００１２】
データ記憶装置６がＤＩＣＯＭネットワーク２に接続されている。このデータ記憶装置６は、各読影レポート入力端末３−１〜３−ｎから入力された各読影レポート情報や各検査室端末４−１〜４−ｍから入力された各検査レポート情報などを記憶する。これら読影レポート情報や検査レポート情報などは、例えばＤＩＣＯＭ−ＳＲ形式やＸＭＬ形式の各フリーテキスト形式の ファイルでデータ記憶装置６に記憶される。
【００１３】
医療施設には、複数の診察室が設けられている。これら診察室には、それぞれ参照用端末７−１〜７−ｋが設けられている。これら参照用端末７−１〜７−ｋは、モニタと、キーボード、マウス等の操作入力端と、操作入力端からの操作指示に従ってモニタへの表示処理等を行うＣＰＵから成る演算処理部とを有する。これら参照用端末７−１〜７−ｋは、各検査機器１−１〜１−ｎにより取得された各検査画像データを表示し、かつ各読影レポート入力端末３−１〜３−ｎから入力された読影レポート情報、各検査室端末４−１〜４−ｍから入力された検査レポート情報を表示する。
【００１４】
図２は読影処理装置８の機能ブロック図を示す。この読影処理装置８は、各参照用端末７−１〜７−ｋにそれぞれ設けられている。なお、読影処理装置８は、各参照用端末７−１〜７−ｋにそれぞれ設けるに限らず、ＤＩＣＯＭネットワーク２に直接接続し、各参照用端末７−１〜７−ｋからそれぞれアクセス可能にしてもよい。読影処理装置８は、被検体に対して行われた各種検査項目の読影レポート情報及び各検査機器１−１〜１−ｎにより取得された各検査画像データを表示する。
【００１５】
具体的に読影処理装置８は、抽出部９と、第１の表示部１０と、第２の表示部１１と、第３の表示部１２とを有する。抽出部９は、各読影レポート入力端末３−１〜３−ｎから入力された各読影レポートと、各検査室端末４−１〜４−ｍから入力された各検査レポート情報とを受け取り、これら読影レポート情報や検査レポート情報から所見情報及びこの所見情報に係わる被検体の部位情報を抽出する。このうち所見情報は、被検体の病状であり、例えば血流低下、単純骨折、陰影などである。被検体の部位情報は、被検体で病状を呈する部位であって、例えば左側頭葉、左頭頂葉、左大腿骨、肝臓などである。
【００１６】
これら所見情報及び被検体の部位情報の抽出は、例えば読影レポート情報及び検査レポート情報から被検体の病状やその部位の所見情報及び部位情報をそれぞれ抽出し、これら所見情報と部位情報との関係付け等の処理を行って構造化することにより可能である。例えば、所見情報及び被検体の部位情報の抽出は、テキストマイニング技術を用い、読影レポート情報及び検査レポート情報を単語レベルに分解し、例えば血流低下、単純骨折、陰影などの所見情報と、例えば左側頭葉、左頭頂葉、左大腿骨、肝臓などの部位情報とを抽出する。
【００１７】
第１の表示部１０は、図３に示すように被検体の形状を模した図式を各参照用端末７−１〜７−ｋの各モニタ上に表示する。この図式は、人体の形状を模したシェーマ１３である。このシェーマ１３は、例えば頭部１３ａと、左胸部１３ｂと、右胸部１３ｃと、腹部１３ｄと、下腹部１３ｅと、左腕部１３ｆと、右腕部１３ｇと、左脚部１３ｈと、右脚部１３ｉと、心臓１３ｊとの各部位から形成される。なお、シェーマ１３は、図３に示す各部位に分けて形成するのに限らず、人体を任意の各部位に分けてもよい。
【００１８】
第１の表示部１０は、抽出部９により抽出された所見情報及び被検体の部位情報を受け取り、これら所見情報及び部位情報をシェーマ１３上の各部位の位置に対応して表示する。この場合、抽出部９により所見情報と部位情報との関係付けが行われているので、第１の表示部１０は、関係付けされた所見情報と部位情報とを表示する。具体的に第１の表示部１０は、例えば図３に示すように頭部１３ａの位置に対応して所見情報である血流低下と部位情報である左側頭葉とを関係付けした「血流低下ー左頭頂葉」を表示する。同様に、第１の表示部１０は、例えば左脚部１３ｈの位置に対応して「単純骨折ー左大腿骨」を表示する。第１の表示部１０は、例えば腹部１３ｄの位置に対応して「陰影ー肝臓」を表示する。
【００１９】
第１の表示部１０は、所見情報と部位情報との表示と共に、検査日時又は検査に用いた医療機器等の例えば各画像検査情報１４ａ〜１４ｃを付加してモニタに表示する。各画像検査情報１４ａ〜１４ｃは、所見情報及び部位情報に並べて表示される。例えば画像検査情報１４ａは、検査日時「２００６年４月８日」と、「頭部に対する核医学検査（ＮＭ）」とを示す。同様に、画像検査情報１４ｂは、検査日時「２００６年５月１２日」と、「下肢部に対するＸ線ＣＴ」とを示す。画像検査情報１４ｃは、検査日時「２００６年４月９日」と、「腹部に対するＭＲ」とを示す。
【００２０】
第１の表示部１０は、シェーマ１３上の各部位の表示色を所見情報の重要度に応じて可変する。例えず図３に示すように頭部１３ａに「血流低下ー左頭頂葉」の病状を示しているので、第１の表示部１０は、頭部１３ａの表示色を例えば「黄色」で表示する。同様に、左脚部１３ｈに「単純骨折ー左大腿骨」の病状を示しているので、第１の表示部１０は、左脚部１３ｈの表示色を例えば「黄色」で表示する。腹部１３ｄに「陰影ー肝臓」の病状を示しているので、第１の表示部１０は、腹部１３ｄの表示色を例えば「黄色」で表示する。第１の表示部１０は、例えば所見情報及び部位情報の記述内容に応じて病状が悪化している場合や緊急を要する病状の場合、シェーマ１３上の各部位の表示色を例えば「赤色」で表示したり、「赤色」等の表示色を点滅することも可能である。  
第１の表示部１０は、患者情報１５をモニタに表示する。この患者情報１５は、例えば患者氏名、性別、生年月日、検査履歴、インプレッション等である。
【００２１】
第２の表示部１１は、第１の表示部１０によりモニタ上に表示されているシェーマ１３上で所見情報及び部位情報を含む表示領域を指定すると、図４に示すように指定された部位に対応する詳細情報しての各種検査項目の情報１６及び検査画像データ１７などを表示する。各種検査項目の情報１６は、例えば病理情報、生理情報、ＭＲ読影レポートの各項目である。検査画像データ１７は、各検査機器１−１〜１−ｎにより取得された各検査画像データである。
【００２２】
具体的に第２の表示部１１は、例えばマウスを操作してモニタ画面上でポインタＰを移動し、このポインタＰをシェーマ１３上における所見情報及び部位情報を含む表示領域、例えば「陰影ー肝臓／２００６年４月９日、腹部に対するＭＲ」を含む表示領域上に移動させると、第２の表示部１１は、詳細情報ウィンドウ１８を表示し、この詳細情報ウィンドウ１８内に例えばＭＲ読影レポート１６を表示すると共に、読影ビューアを起動させてＭＲ画像１７を表示する。すなわち、第２の表示部１１は、モニタ画面上における例えば「陰影ー肝臓／２００６年４月９日、腹部に対するＭＲ」などの所見情報及び部位情報を含む表示領域とＭＲ画像１７等の検査画像データとをリンクさせている。これにより、第２の表示部１１は、ＭＲ画像１７等の検査画像データを読み出すことが可能である。
【００２３】
この場合、第２の表示部１１は、例えば画像サーバ５からＭＲ画像１７等の検査画像データを読み出し、ＤＩＣＯＭネットワーク２を通して各参照用端末７−１〜７−ｋのモニタに表示する。具体的に第２の表示部１１は、例えばＭＲ画像１７等の検査画像データを特定できるアドレスとしてＳＯＰインスタンスＵＩＤをキーとしてＱuery／Ｒetrieve（画像の検索・参照）を行うことで例えばＭＲ画像１７等の検査画像データを画像サーバ５から取り寄せる。検索するためのＳＯＰインスタンスＵＩＤのキーとしては、例えば患者名、患者ＩＤ、検査日、検査ＩＤ等を用いる。
【００２４】
第２の表示部１１は、モニタ画面上における詳細情報ウィンドウ１８の表示位置を、シェーマ１３上の所見情報及び部位情報の部位に応じて可変する。例えば「陰影ー肝臓／２００６年４月９日、腹部に対するＭＲ」を選択すると、第２の表示部１１は、シェーマ１３上の腹部１３ｄに対応するモニタ画面位置に詳細情報ウィンドウ１８を表示する。
【００２５】
なお、第２の表示部１１は、詳細情報ウィンドウ１８内に、例えばＭＲ画像１７等の検査画像データの画像情報１８や数値情報１９を表示してもよい。数値情報は、例えば読影レポート情報や検査レポート情報から例えば抽出部９によって抽出された各種検査結果の数値である。この数値情報は、例えば尿検査のタンパク質の量である。
【００２６】
第３の表示部１２は、図４に示す各種検査項目情報１６のうち例えば読影レポート上にポインタＰを移動し、この状態でマウスをクリック操作して指定すると、図５に示すように指定された検査項目に対応する読影レポート情報や検査レポート情報の原本文の情報２０を詳細情報ウィンドウ１８内に表示する。この場合、第３の表示部１２は、図４に示す各種検査項目情報１６に代わって図５に示すように読影レポート情報や検査レポート情報の原本文の情報２０を表示する。
【００２７】
次に、上記の如く構成された装置による読影の動作について説明する。  
診察室の担当医によって例えば患者に対するＭＲ装置による撮影が検査室に依頼される。この検査室では、ＭＲ装置によって患者の例えば肝臓のＭＲ画像の撮影が行われる。読影医は、例えば肝臓のＭＲ画像を観察して読影レポートを例えば読影レポート入力端末３−１から入力する。
【００２８】
ＭＲ画像の撮影と読影レポートの入力とが終了すると、ＭＲ装置である例えば検査機器１−１は、検査画像データとしてのＭＲ画像データをＤＩＣＯＭネットワーク２を介して画像サーバ５に送る。これにより画像サーバ５には、患者の例えば肝臓のＭＲ画像データが記憶される。なお、ＭＲ画像データには、例えば患者氏名、性別、生年月日、検査履歴、インプレッション等の患者情報１５、さらに検査日時「２００６年４月９日」、腹部に対するＭＲ撮影の情報が付加される。
【００２９】
これと共に読影レポート入力端末３−１は、読影レポート情報をＤＩＣＯＭネットワーク２に介してデータ記憶装置６に送る。これにより、データ記憶装置６には、例えば肝臓のＭＲ画像データに関する読影レポート情報が記憶される。この読影レポート情報にも例えば患者氏名、性別、生年月日、検査履歴、インプレッション等の患者情報１５が付加される。
【００３０】
抽出部９は、データ記憶装置６に記憶されている読影レポート情報を受け取り、この読影レポート情報に記述されている所見情報及びその部位情報を抽出する。例えば、抽出部９は、所見情報として陰影を抽出し、部位情報として肝臓を抽出し、これら陰影と肝臓との関係付け（リンク）等の処理を行って構造化する。
【００３１】
一方、診察室の担当医は、依頼したＭＲ画像を観察するために例えば参照用端末７−１を操作する。読影処理装置８の第１の表示部１０は、モニタの画面上に、図３に示すように人体の形状を模したシェーマ１３を表示し、かつシェーマ１３上に抽出部９により抽出された例えば「陰影ー肝臓」を頭部１３ａの位置に対応して表示する。これと共に第１の表示部１０は、検査日時「２００６年４月９日」及び「腹部に対するＭＲ」を「陰影ー肝臓」に並べて表示する。又、第１の表示部１０は、頭部１３ａに「血流低下ー左頭頂葉」の病状を示しているので、頭部１３ａの表示色を例えば「黄色」で表示する。
【００３２】
なお、「陰影ー肝臓」の他に所見情報があれば、第１の表示部１０は、例えば図３に示すように頭部１３ａの位置に対応して「血流低下ー左頭頂葉」、左脚部１３ｈの位置に対応して「単純骨折ー左大腿骨」などを同時に表示する。又、第１の表示部１０は、例えば患者氏名、性別、生年月日、検査履歴、インプレッション等の患者情報１５をモニタに表示する。
【００３３】
このようなモニタ画面上で、担当医がマウスを操作してモニタ画面上でポインタＰを移動し、このポインタＰをシェーマ１３上における例えば「陰影ー肝臓／２００６年４月９日、腹部に対するＭＲ」を含む表示領域上に移動させると、第２の表示部１１は、図４に示すように詳細情報ウィンドウ１８を表示し、この詳細情報ウィンドウ１８内に各種検査項目の情報１６として例えば「読影レポート」を表示すると共に、読影ビューアを起動させてＭＲ画像１７を表示する。このとき、第２の表示部１１は、例えばＭＲ画像１７等の検査画像データを特定できるアドレスとしてＳＯＰインスタンスＵＩＤをキーとしてＱuery／Ｒetrieveを行うことで例えばＭＲ画像１７等の検査画像データを画像サーバ５から取り寄せてモニタに表示する。
【００３４】
なお、詳細情報ウィンドウ１８内に各種検査項目の情報１６として例えば病理情報、生理情報があれば、第２の表示部１１は、これら病理情報、生理情報も表示する。又、第２の表示部１１は、モニタ画面上における詳細情報ウィンドウ１８の表示位置を、シェーマ１３上の腹部１３ｄに対応して表示する。
【００３５】
次に、診察室の担当医は、マウスを操作してモニタ画面上でポインタＰを移動し、このポインタＰを各種検査項目の情報１６として例えば「読影レポート」上に移動し、この状態でマウスをクリック操作して指定すると、第３の表示部１２は、図５に示すように「読影レポート」の原本文の情報２０を図４に示す各種検査項目情報１６に代わって詳細情報ウィンドウ１８内に表示する。
【００３６】
なお、病理情報、生理情報などがあれば、これら病理情報、生理情報上にポインタＰを移動してクリック操作することにより、病理情報、生理情報の原本文の情報を詳細情報ウィンドウ１８内に表示可能である。
【００３７】
このように上記一実施の形態によれば、読影レポート情報等から病状等の所見情報及びその部位情報を抽出し、患者の形状を模したシェーマ１３上の各部位の位置に対応して所見情報及びその部位情報をモニタ画面上に表示し、これら所見情報及びその部位情報の表示領域をポインタＰ等により指定すると、当該部位に対応する各種検査項目の情報及び検査画像データを表示し、さらに各種検査項目情報を指定すると、当該検査項目に対応する読影レポート情報等の原本文の情報を表示する。これにより、読影医が記述した読影レポートの記述内容が読影医の独特な文章表現や回りくどい文章表現になっていても、シェーマ１３上で重要な病状を表す例えば陰影や血流低下、単純骨折等の所見情報とその部位情報との表示を同時に見れるので、担当医は、視覚的かつ直感的に病状を診断可能である。この結果、担当医は、患者の病状を間違いなく診断でき、かつ診断結果を下すまでの時間を短縮することが可能である。
【００３８】
シェーマ１３上では、例えば「血流低下ー左頭頂葉」の病状を示している頭部１３ａの表示色を例えば「黄色」で表示するので、シェーマ１３を見るだけで、病状を呈している人体の部位が視覚的に把握できる。病状が悪化している場合や緊急を要する病状の場合、シェーマ１３上の各部位の表示色を例えば「赤色」で表示したり、「赤色」等の表示色を点滅することにより、病状の悪化状態も視覚的に把握できる。
【００３９】
病状の詳細情報を知りたい場合は、病状等の所見情報及びその部位情報上にポインタＰを移動するだけで、例えばＭＲ画像データ１７等の検査画像データを読影ビューアできる。担当医は、ＭＲ画像データ１７等の検査画像データを見ることにより病状の詳しい状態を診断できる。
【００４０】
読影レポート等の検査項目情報１６上にポインタを移動してクリックするだけで、読影レポート情報等の原本文の情報を表示するので、読影レポート情報等の原本文も確認できる。読影レポート情報等の原本文の記述内容は、既に、病状等の所見情報及びその部位情報、ＭＲ画像データ１７等の検査画像データを読影ビューアしているので、主治医は、読影レポートの内容を誤って理解したり、読影レポートの内容を正確に把握するまでに時間を要することもない。
【００４１】
なお、本発明は、上記一実施の形態に限定されるものではなく、次のように変形してもよい。  
例えば、読影ビューアは、ＳＯＰインスタンスＵＩＤをキーとして各検査機器１−１〜１−ｎのシステムナンバーを示すアクセッションナンバーを割り出すことで、ＵＲＬリンク情報を送出し、ＷＥＢベースで表示するようにしてもよい。  
ＤＩＣＯＭネットワーク２には、病院情報システム（Ｈospital Ｉnformation Ｓystem：ＨＩＳ）３５又は放射線部門情報管理システム（Ｒadiology Ｉnformation Ｓystem：ＲＩＳ）を接続してもよい。
【図面の簡単な説明】
【００４２】
【図１】本発明に係る読影レポート表示装置の一実施の形態を組み込んだ医用画像管理システムを示す構成図。
【図２】同装置における読影処理装置の機能ブロック図。
【図３】同装置による人体の形状を模したシェーマ上の所見情報及び部位情報の表示例を示す図。
【図４】同装置によるシェーマ上の検査項目の情報及び検査画像データの表示例を示す図。
【図５】同装置による読影レポート情報や検査レポート情報の原本文の情報の表示例を示す図。
【符号の説明】
【００４３】
１−１〜１−ｎ：各種検査機器、２：ＤＩＣＯＭネットワーク、３−１〜３−ｎ：読影レポート入力端末、４−１〜４−ｍ：各検査室端末、５：画像サーバ、６：データ記憶装置、７−１〜７−ｋ：参照用端末、８：読影処理装置、９：抽出部、１０：第１の表示部、１１：第２の表示部、１２：第３の表示部、１３：シェーマ、１３ａ：頭部、１３ｂ：左胸部、１３ｃ：右胸部、１３ｄ：腹部、１３ｅ：下腹部、１３ｆ：左腕部、１３ｇ：右腕部、１３ｈ：左脚部、１３ｉ：右脚部、１３ｊ：心臓、１４ａ〜１４ｃ：画像検査情報、１５：患者情報、１６：各種検査項目の情報、１７：検査画像データ、１８：詳細情報ウィンドウ、１９：数値情報、２０：読影レポート情報や検査レポート情報の原本文の情報、Ｐ：ポインタ。
【図１】
2007252609.tif 000003
【図２】
2007252609.tif 000004
【図３】
2007252609.tif 000005
【図４】
2007252609.tif 000006
【図５】
2007252609.tif 000007